(57)【特許請求の範囲】
【請求項１】
（ａ）炭素数１２〜３６のアルキル基又はアルケニル基を２つ以上、炭素数１〜５のアルキル基又はヒドロキシアルキル基を１つ以上有する４級アンモニウム塩又は３級アミンもしくはその塩５〜４０重量％、（ｂ）２５℃における屈折率が１．２０〜１．４５の水不溶性重合体４〜３０重量％を含有し、且つ（ｃ）炭素数１２〜３６の飽和又は不飽和脂肪酸及び（ｄ）炭素数８〜３６のアルキル基又はアルケニル基を１つ、炭素数１〜５のアルキル基又はヒドロキシアルキル基を２つ以上有する４級アンモニウム塩又は３級アミンもしくはその塩の少なくとも一方、並びに水を含有する柔軟剤組成物であって、
（ｂ）が、フロロアルキル基、フロロアルキレン基もしくはフロロアリール基を含む有機基を有する変性シリコーン（以下、フッ素変性シリコーンという）、及びアミノ基を含む有機基を有する変性シリコーン（以下、アミノ変性シリコーンという）から選ばれる、２５℃における屈折率が１．２０〜１．４５の水不溶性重合体である、
柔軟剤組成物。
【請求項２】
（ｃ）及び（ｄ）の両方を含有し、（ｃ）と（ｄ）の含有量の合計が０．１〜１０重量％である、請求項１記載の柔軟剤組成物。
【請求項３】
（ｃ）と（ｄ）の重量比が（ｃ）／（ｄ）＝１／２０〜１０／１である、請求項２記載の柔軟剤組成物。
【請求項４】
フッ素変性シリコーンが、２５℃での粘度が１０〜１０万ｍｍ２／ｓの水不溶性フッ素変性シリコーンである、請求項１〜３の何れか１項記載の柔軟剤組成物。
【請求項５】
アミノ変性シリコーンが、アミノ当量１５００〜１００００ｇ／ｍｏｌ、且つ２５℃での粘度が１０〜１０万ｍｍ２／ｓの水不溶性アミノ変性シリコーンである、請求項１〜４の何れか１項記載の柔軟剤組成物。
【請求項６】
（ｂ）が、平均粒径０．０１〜４μｍの乳化状態で配合される請求項１〜５の何れか１項記載の柔軟剤組成物。
【発明の詳細な説明】
【０００１】
【発明の属する技術分野】
本発明は柔軟剤組成物に関し、より詳しくは色彩回復効果を有する柔軟剤組成物に関する。
【０００２】
【従来の技術及び発明が解決しようとする課題】
従来、柔軟剤には長鎖アルキル基と１つの４級アンモニウム塩又は３級アミンの酸塩を有する柔軟化剤が一般に用いられている。また、柔軟剤には柔軟効果以外に繊維の保護機能を付与することが行われている。特開平１０−５０４６０８号公報、ＷＯ９８２００９９には塩素捕捉剤や紫外線吸収剤などを配合することにより水道水中の塩素や太陽光の影響で引き起こされる衣料の色褪せを防止する技術が開示されている。しかしながらこのような組成物はいったん褪色した衣料の色合いを回復させるものではない。
【０００３】
褪色した衣料を回復する方法として本出願人らは特開平３−１８０５７８号公報にエアゾール繊維色彩回復剤を開示している。このような組成物はスプレーされた部分には高い色彩回復効果を有するが、衣料全体を均一にスプレーすることは困難であるため、斑付きなどの問題がある。また、ここで開示されている濃色化成分を柔軟剤に配合すると柔軟効果を損なうという問題があり、柔軟効果と色彩回復効果の両者を満足できるものが望まれている。
【０００４】
一方、特表平５−５０８８８９号公報にはアミノ変性シリコーンを含有した布帛柔軟剤組成物が開示されている。しかしながら、これは布のすべり性や撥水性を付与することを目的とし、衣料の色彩を改善するものではなく、示唆もされていない。
【０００５】
従って本発明の目的は、十分な柔軟効果を示すと共に、更に、褪色した衣料の色彩を一般家庭で容易に回復しうる柔軟剤組成物を提供することにある。
【０００６】
【課題を解決するための手段】
本発明は、（ａ）炭素数１２〜３６のアルキル基又はアルケニル基を２つ以上、炭素数１〜５のアルキル基又はヒドロキシアルキル基を１つ以上有する４級アンモニウム塩又は３級アミンもしくはその塩〔以下、（ａ）成分という〕５〜４０重量％、（ｂ）２５℃における屈折率が１．２０〜１．４５の水不溶性重合体〔以下、（ｂ）成分という〕４〜３０重量％を含有し、且つ（ｃ）炭素数１２〜３６の飽和又は不飽和脂肪酸〔以下、（ｃ）成分という〕及び（ｄ）炭素数８〜３６のアルキル基又はアルケニル基を１つ、炭素数１〜５のアルキル基又はヒドロキシアルキル基を２つ以上有する４級アンモニウム塩又は３級アミンもしくはその塩〔以下、（ｄ）成分という〕の少なくとも一方を含有する柔軟剤組成物を提供する。
【０００７】
なお、ここでいう「屈折率」はアッペ屈折計を用いて測定されるものであり、また、「水不溶性」とは２０℃のイオン交換水１リットルに溶解する量が１ｇ以下であることをいう。
【０００８】
【発明の実施の形態】
＜（ａ）成分＞
本発明の（ａ）成分は、炭素数１２〜３６、好ましくは１０〜２４、特に好ましくは１２〜２０のアルキル基又はアルケニル基を２つ以上、好ましくは２つ有する。また、炭素数１〜５のアルキル基又はヒドロキシアルキル基を１つ以上有する。（ａ）成分は、分子中にエステル基及び／又はアミド基を有する化合物が好ましい。好適な（ａ）成分としては、下記一般式（１）の化合物及び／又は一般式（２）の化合物を挙げることができる。
【０００９】
【化１】
0004467775.tif 000002
【００１０】
〔式中、Ｒ1、Ｒ6は、同一でも異なっていても良く、それぞれ炭素数１０〜３６、好ましくは１０〜２４、特に好ましくは１４〜１８のアルキル基又はアルケニル基であり、Ｒ3、Ｒ4は、同一でも異なっていても良く、それぞれ炭素数１〜３のアルキル基又はヒドロキシアルキル基である。Ｒ2、Ｒ5は、同一でも異なっていても良く、それぞれ炭素数１〜５、好ましくは１〜３のアルキレン基であり、Ｘ及びＹは−ＣＯＯ−、−ＯＣＯ−、−ＣＯＮＲ7−、−ＮＲ7ＣＯ−から選ばれる基であり同一又は異なっていてもよい。Ｒ7は水素原子又は炭素数１〜３のアルキル基もしくはヒドロキシアルキル基である。ｎ、ｍは１又は０、好ましくは１の数であり、Ｚ-は無機又は有機の陰イオン、好ましくはハロゲンイオン、硫酸イオン、リン酸イオン、炭素数１〜３のアルキル硫酸エステルイオン、炭素数１〜１２の脂肪酸イオン、炭素数１〜３のアルキル基で置換されていてもよいアリ−ルスルホン酸イオン、特に好ましくはハロゲンイオン、炭素数１〜３のアルキル硫酸エステルイオンである。〕
本発明の（ａ）成分としては、以下の化合物が最も好ましい。
【００１１】
【化２】
0004467775.tif 000003
【００１２】
〔式中、Ｒ、Ｒ'は、同一でも異なっていても良く、それぞれ炭素数１３〜１７のアルキル基又はアルケニル基であり、Ｚ-は前述と同様の意味である。〕。
【００１３】
本発明において、（ａ）成分として一般式（２）のアミン化合物を使用する場合、無機酸又は有機酸によって中和した状態で使用することが好ましく、硫酸、塩酸、リン酸、炭素数１〜６の脂肪酸、アルキル硫酸エステルを用いることが望ましい。また、アミン化合物の中和は組成物に配合する前に予め行っていても良く、アミン化合物を組成物に配合してから中和しても差し支えない。
【００１４】
＜（ｂ）成分＞
本発明の（ｂ）成分は２５℃における屈折率が１．２０〜１．４５、好ましくは１．２５〜１．４５、特に好ましくは１．３〜１．４３の水不溶性重合体である。屈折率がこの範囲であると十分な色彩回復効果が得られ、また色彩も適正になる。なお、水に溶解する重合体では、本発明の水不溶性の重合体のような満足できる色彩回復効果を得ることができない。
【００１５】
上記性質を満足する重合体としては、含フッ素系重合体及びシリコーン化合物が好ましい。含フッ素系重合体はトリフルオロエチルアクリレート（又はメタクリレート）、ペンタデカフルオロオクチルアクリレート（又はメタクリレート）、テトラフルオロエチレン、トリフルオロクロロエタン、トリフルオロエチルアクリレート（又はメタクリレート）、ヘキサフルオロプロピレン、テトラフルオロエチレンオキシド、ヘキサフルオロプロピレンオキシドから選ばれる単量体の１種以上を重合又は共重合させたものか、又は後述するフロロアルキル基、フロロアルキレン基もしくはフロロアリール基を含む有機基を有する変性シリコーン（以下フッ素変性シリコーン）が好ましい。これらはポリスチレンを標準とし、ジメチルホルムアミドを展開溶媒とした時のゲル浸透型液体クロマトグラフィーによって求められる重量平均分子量が１０００〜１００００００、好ましくは１５００〜５０００００のものが色彩回復効果の点から良好である。
【００１６】
上記フッ素系重合体は、単量体がエチレン性不飽和化合物の場合は通常のラジカル重合反応で、またアルキレンオキシド化合物の場合は通常の付加反応で、それぞれ得ることができる。ラジカル重合反応方法としては、塊重合、溶液重合あるいは乳化重合などを用いることができる。また、重合開始剤としては２，２'−アゾビス（２−アミジノプロパン）、アゾビスイソブリロニトリル、ジ−ｔ−ブチルパーオキシド、過酸化水素、ｔ−ブチルハイドロパーオキサイド、クメンハイドロパーオキサイド、メチルエチルケトンパーオキサイド、シクロヘキサノンパーオキサイド、過酢酸、過安息香酸、過酸化ラウロイル、過硫酸塩を使用することができる。
【００１７】
アルキレンオキシド化合物の付加反応では通常用いられる水酸化ナトリウムや水酸化カリウム等のアルカリや３弗化ホウ素などのルイス酸を触媒として容易に反応を行うことができる。
【００１８】
本発明では上記含フッ素単量体以外の共重合可能な単量体を含む共重合体であっても差し支えないが、含フッ素単量体／全単量体がモル比で０．５以上、好ましくは０．６以上であることが色彩回復効果の点で好ましい。
【００１９】
フッ素変性シリコーンを用いる場合には２５℃における粘度が１０〜２０万ｍｍ2／ｓ、好ましくは５０〜１０万ｍｍ2／ｓ、特に好ましくは５百〜８万ｍｍ2／ｓのものが色彩回復効果の点で好ましい。
【００２０】
本発明では（ａ）成分としてシリコーン化合物を用いることもできる。シリコーン化合物は、前記特定の屈折率範囲と溶解性の性質を有するオルガノポリシロキサンオイルであり、具体的には、ジメチルポリシロキサンオイル（以下、ジメチルシリコーンとする）又はジメチルシリコーンオイルの側鎖もしくは末端のメチル基の一部がヒドロキシ基になっているオルガノポリシロキサンオイル（以下、ヒドロキシシリコーンとする）の他に、前記ジメチルシリコーン又はヒドロキシシリコーンのメチル基（好ましくは側鎖のメチル基）の一部が“メチル基”以外の有機基"になっているオルガノポリシロキサンオイル（以下、変性シリコーンとする）が挙げられる。変性シリコーンはシリコーンハンドブック（伊藤邦雄編集、日刊工業新聞社発行、１９９０年８月３１日、初版１刷）の第６章を中心に例示されている。メチル基以外の有機基としては、アミノ基を含む有機基、アミド基を含む有機基、ポリエーテル基を含む有機基、エポキシ基を含む有機基、カルボキシ基を含む有機基、アルキル基を含む有機基又はハロゲノアルキル基、ハロゲノアルキレン基もしくはハロゲノアリール基を含む有機基の他に、ポリ（Ｎ−アシルアルキレンイミン）鎖を含む有機基が挙げられる。本発明では、好ましくはアミノ基を含む有機基を有する変性シリコーン（以下アミノ変性シリコーン）、ポリ（Ｎ−アシルアルキレンイミン）鎖を含む有機基を有する変性シリコーン又はハロゲノアルキル基、ハロゲノアルキレン基もしくはハロゲノアリール基を含む有機基を有する変性シリコーン（ハロゲノ変性シリコーン）であり、より好ましくはアミノ当量が１５００〜４００００ｇ／ｍｏｌ、さらには２５００〜２００００ｇ／ｍｏｌ、特には３０００〜１００００ｇ／ｍｏｌのアミノ変性シリコーン又はハロゲノ変性シリコーンである。
【００２１】
なお、本発明において、水溶性の有機基を有する変性シリコーンを用いる場合は、変性率は２０℃でのイオン交換水１Ｌ当たりの溶解性が１ｇを越えないものが選択される。
【００２２】
本発明のシリコーン化合物（フッ素変性シリコーンを除く）は、ポリスチレンを標準とし、クロロホルムを展開溶媒とした時のゲル浸透型液体クロマトグラフィーによって求められる重量平均分子量が、１千〜１００万のものが好ましく、３千〜５０万のものがより好ましく、５千〜２５万のものが最も好ましい。また２５℃での粘度が、１０〜１０万ｍｍ2／ｓ、更に５００〜５万ｍｍ2／ｓ、特に１千〜４万ｍｍ2／ｓのものが好ましい。粘度は、ウベローデのＵ字形の粘度計により測定することができる。
【００２３】
本発明の（ｂ）成分は実質上水に不溶の化合物であり、柔軟剤組成物に配合する際、水に乳化又は分散した状態で配合することが望ましく、乳化分散剤として（ａ）成分及び／又は後述する（ｃ）成分、（ｄ）成分もしくは（ｅ）成分を使用することができる。（ｂ）成分の乳化粒子の平均粒径は色彩回復効果及び貯蔵安定性の点から０．０１〜４μｍ、好ましくは０．２〜３μｍが好ましい。なお、粒径は電気泳動光散乱光度計（大塚電子株式会社製、ＥＬＳ−８００）を用いて測定される。
【００２４】
＜（ｃ）成分＞
本発明の（ｃ）成分は炭素数１２〜３６、好ましくは１２〜２４、特に好ましくは１４〜１８の飽和又は不飽和脂肪酸であり、具体的にはラウリン酸、ミリスチン酸、パルミチン酸、ステアリン酸、オレイン酸、リノール酸、リノレン酸から選ばれる脂肪酸が好ましい。特に、パルミチン酸とステアリン酸もしくはオレイン酸との混合脂肪酸が好ましく、パルミチン酸／[ステアリン酸＋オレイン酸]が重量比で３０／７０〜６０／４０であることが柔軟効果の点から好ましい。
【００２５】
＜（ｄ）成分＞
本発明の（ｄ）成分は炭素数８〜３６のアルキル基又はアルケニル基を１つ有する。また、炭素数１〜５のアルキル基又はヒドロキシアルキル基を２つ以上有する。特に、（ｄ）成分は、窒素原子に結合する炭素数８〜３６のアルキル基又はアルケニル基以外の基が全て炭素数１〜５のアルキル基又はヒドロキシアルキル基であることが好ましい。（ｄ）としては下記一般式（３）の化合物が好ましい。
【００２６】
【化３】
0004467775.tif 000004
【００２７】
〔式中、Ｒ8は炭素数８〜３６、好ましくは８〜２４、特に好ましくは８〜２０のアルキル基又はアルケニル基であり、Ｒ10、Ｒ11は、同一でも異なっていても良く、それぞれ炭素数１〜３のアルキル基又はヒドロキシアルキル基である。Ａが−ＣＯＯ−、−ＣＯＮＨ−、−ＯＣＯ−、−ＮＨＣＯ−、−Ｏ−の場合は、Ｒ9は炭素数１〜５、好ましくは２又は３のアルキレン基であり、Ａが
【００２８】
【化４】
0004467775.tif 000005
【００２９】
の場合は、Ｒ9は炭素数１〜５、好ましくは２又は３のアルキレン基又は−(ＯＲ13)q−である。ここでＲ13はエチレン基、又はプロピレン基であり、ｑは１〜１０、好ましくは１〜５の数である。Ｒ12は炭素数１〜３のアルキル基又はヒドロキシアルキル基、又はベンジル基である。ｒは０又は１の数であり、特に１が柔軟効果の点から好ましい。Ｚ-は前述と同一の意味である。〕
より好ましい（ｄ）成分として以下の化合物を挙げることができる。
【００３０】
【化５】
0004467775.tif 000006
【００３１】
〔式中、Ｒ''は同一又は異なっていても良い炭素数８〜１７のアルキル基又はアルケニル基であり、Ｚ-は前述と同様の意味である。〕。
【００３２】
＜柔軟剤組成物＞
本発明の柔軟剤組成物は（ａ）成分を５〜４０重量％、好ましくは５〜３０重量％であり、（ｂ）成分を４〜３０重量％、好ましくは６〜２０重量％、より好ましくは８〜２０重量％含有する。また、（ｃ）成分及び（ｄ）成分の少なくともいずれか一方、好ましくは両方を含有し、（ｃ）成分と（ｄ）成分の合計は好ましくは０．０５〜１０重量％、特に好ましくは０．１〜５重量％であることが、柔軟効果及び色彩回復効果の点から好ましい。（ｃ）成分と（ｄ）成分の両方を含有する場合、両者の重量比は、（ｃ）／（ｄ）＝１／１００〜１０／１、更に１／２０〜１／１が好ましい。
【００３３】
本発明では上記（ａ）〜（ｄ）成分を水によって希釈した水溶液の形態で用いることが好ましい。水としては重金属イオンや硬度成分を除去したものが好ましく、イオン交換水や蒸留水が好ましい。水の配合量は４０重量％〜９５重量％、好ましくは５０〜９５重量％、特に好ましくは６０〜９０重量％が貯蔵安定性の点から望ましい。また、組成物の２０℃におけるｐＨは２〜８、好ましくは２〜７、特に２〜４が貯蔵安定性及び色彩回復効果の点から好ましい。
【００３４】
本発明では（ｅ）成分として非イオン界面活性剤を配合することが柔軟効果、色彩回復効果、及び貯蔵安定性の点から好ましい。非イオン界面活性剤としてはポリオキシエチレン又はポリオキシプロピレンあるいはこれらのコポリマー、ポリオキシアルキレンアルキル又はアルケニルエーテル、ポリオキシアルキレンアルキルフェニルエーテル、高級脂肪酸アルカノールアミド又はそのアルキレンオキシド付加物、蔗糖脂肪酸エステル、アルキルグルコシドなどを挙げることができ、特に一般式（４）の非イオン界面活性剤が好ましい。
Ｒ14−Ｔ−[(Ｒ15Ｏ)p−Ｈ]q      （４）
〔式中、Ｒ14は炭素数１０〜１８、好ましくは１２〜１８のアルキル基又はアルケニル基であり、Ｒ15は炭素数２又は３のアルキレン基、好ましくはエチレン基である。また、ｐは２〜１００、好ましくは５〜８０、特に好ましくは５〜８の数を示す。さらにＴは−Ｏ−、−Ｎ−又は−ＣＯＮ−であり、Ｔが−Ｏ−の場合はｑは１であり、Ｔが−Ｎ−又は−ＣＯＮ−の場合はｑは２である。〕。
【００３５】
一般式（４）の化合物の具体例としては以下の化合物を挙げることができる。
Ｒ16−Ｏ−(Ｃ2Ｈ4Ｏ)r−Ｈ
〔式中、Ｒ16は炭素数１２〜１８のアルキル基であり、ｒは１〜６０、好ましくは３〜８の数である。〕
Ｒ１６−Ｏ−(Ｃ2Ｈ4Ｏ)s−(Ｃ3Ｈ6Ｏ)t−Ｈ
〔式中、Ｒ16は前述と同一の意味であり、ｓ及びｔはそれぞれ独立に２〜４０、好ましくは５〜８の数であり、エチレンオキシドとプロピレンオキシドはランダムあるいはブロック付加体であってもよい。〕
【００３６】
【化６】
0004467775.tif 000007
【００３７】
本発明の柔軟剤組成物は、（ｅ）成分を０．１〜１０重量％、さらに０．５〜８重量％、特に０．５〜５重量％含有することが好ましい。
【００３８】
本発明では通常柔軟剤に使用できる成分を配合しても差し支えない。例えば増粘やゲル化防止剤として、無機塩、例えば塩化カシウムなどを０〜１０００ｐｐｍ、好ましくは１０〜５００ｐｐｍ添加することが望ましい。但し、脂肪酸塩類などの界面活性剤にはナトリウム塩やカリウム塩が含まれているが、このような界面活性剤の使用によって組成物に混入する無機塩は上記制限を受けるものではない。
【００３９】
さらに本発明ではエタノールやイソプロパノールなどの溶媒成分を配合しても差し支えなく、エタノールを使用する場合は、ポリオキシエチレンアルキルエーテル硫酸塩変性エタノールや８−アセチル化蔗糖変性エタノールを使用することが望ましい。
【００４０】
本発明の柔軟剤組成物には、通常繊維処理剤に配合される香料あるいは色素等の成分を配合しても差し支えない。
【００４１】
【実施例】
下記（ａ−１）〜（ｃ−２）成分を用いて表１の組成物を調製した。
【００４２】
【化７】
0004467775.tif 000008
【００４３】
なおａ−１〜ａ−３のＲは、すべて炭素数１７と１５の飽和アルキル基の混合である（炭素数１７：炭素数１５＝６０／４０）。
・ｂ−１：アミノ変成シリコーン、屈折率１．４１、粘度５０ｍｍ2／ｓ、アミノ当量２１００ｇ／ｍｏｌ（東芝シリコーン社製ＴＳＦ４７０６、２０℃のイオン交換水１リットルに溶解する量は１ｇ以下）
・ｂ−２：フッ素変成シリコーン、屈折率１．３８、粘度１００００ｍｍ2／ｓ（東芝シリコーン社製ＦＱＦ５０１、２０℃のイオン交換水１リットルに溶解する量は１ｇ以下）
・ｂ’−１：アルキル変成シリコーン、屈折率１．４７、粘度１０００ｍｍ2／ｓ（東レ・ダウコーニング社製ＴＳＦ４４２８、２０℃のイオン交換水１リットルに溶解する量は１ｇ以下）
・ｃ−１：硬化牛脂組成脂肪酸（パルミチン酸４０重量％、ステアリン酸６０重量％）
・ｃ−２：オレイン酸
【００４４】
【化８】
0004467775.tif 000009
【００４５】
・ｅ−１：ラウリルアルコールにエチレンオキシドを平均５モル付加したもの
・ｆ−１：エチレングリコール
・ｆ−２：塩化カルシウム。
【００４６】
＜褪色衣料の調製＞
市販の黒色の木綿ポロシャツ２枚を弱アルカリ性洗剤（下記組成）を用いて洗濯機で洗浄した（東芝製２槽式洗濯機ＶＨ−３６０Ｓ１、洗剤濃度０．０６６７重量％、水道水３０Ｌ使用、水温２０℃、１０分間洗浄、１分間脱水後、３０Ｌの水道水を注水して５分間すすぎを行った）。この操作を５回繰り返した衣料は初期の色合が失われ全体的に白っぽくなっていた。
【００４７】
弱アルカリ性洗剤の組成は、アルキル（炭素数１２、１３）ベンゼンスルホン酸ナトリウム２５重量％、ラウリル硫酸ナトリウム５重量％、ミリスチン酸ナトリウム４重量％、ポリオキシエチレンラウリルエーテル（エチレンオキシド平均付加モル数８）５重量％、１号シリケート８重量％、ポリアクリル酸ナトリウム（重量平均分子量１万）５重量％、ゼオライト（４Ａ型）１５重量％、プロテアーゼ（ノボ社サビナーゼ）０．８重量％、炭酸ナトリウム１５重量％、炭酸カリウム３重量％、無水硫酸ナトリウム（合計１００重量％になるまでの量）である。
【００４８】
＜色彩回復効果＞
上記褪色衣料を上述の弱アルカリ洗剤を用い同様の方法で洗浄／すすぎを行い、その後再度３０Ｌの水道水を注水した後、表１の組成物１０ｇを添加し５分間攪拌した。その後、脱水し湿度５０％、２５℃の恒温室で１２時間乾燥した。この操作を５回繰り返した褪色衣料と表１の組成物を使用せずに５回洗浄した褪色衣料（対照）を１０人（３０代男性）のパネラーにより白色蛍光燈下で比較し色彩回復効果を下記の基準で評価した。平均点が０．８未満を◎、０．８以上１．２未満を○、１．２以上１．５未満を□、１．５以上２．０未満を△、２．０以上を×として表１に示した。
【００４９】
・評価基準
０；新品衣料に近い色合
１：対照より色が鮮やかに見える
２：対照と同等である
３：対照より色が褪せて見える。
【００５０】
＜柔軟効果＞
上記色彩回復効果の評価方法と同一の方法で処理した衣料と表１の組成物を使用せずに処理した衣料（対照）を１０人（３０代男性）のパネラーにより柔軟性を評価した。平均点が１．５以上を◎、１以上１．５未満を○、０．５以上１未満を△、０．５未満を×として判定し表１に示した。
＋２；対照より非常に柔らかい
＋１；対照より柔らかい
０；対照と同等である
−１；対照より硬い
−２；対照より非常に硬い
【００５１】
【表１】
0004467775.tif 000010
【００５２】
なお、表１の各組成物のｐＨは０．１規定塩酸水溶液又は０．１規定水酸化ナトリウム水溶液で調整した。また、表１の各組成物の（ｂ）成分又はｂ’−１は有効分２０重量％の（ｃ）成分で乳化した乳化状態で配合した。乳化粒子の平均粒径は０．２〜３μｍの範囲内にある。